(57)【要約】【課題】旋回走行における作業装置の状態変位を、より適切なタイミングで行う要求がある。【解決手段】機体の走行距離を検出する走行距離検出部５１と、機体の向きである機体方位を検出する方位検出部５２と、旋回走行の開始および終了のタイミングと作業装置（５，１９，２７）の動作終了および動作開始のタイミングとに対応する走行距離および機体方位を記憶する記憶部５３と、走行距離および機体方位を記憶部５３に記憶させるティーチングモードと走行距離および機体方位に基づいて旋回走行を行うティーチングターンモードとの切り替えを行うスイッチ５６と、ティーチングターンモード中に、記憶部５３に記憶された走行距離および機体方位に基づいて旋回走行を制御する制御部５４とを備える。【選択図】図５
2020178631.tif 000002
【特許請求の範囲】
【請求項１】
圃場において旋回走行を挟んで往復して作業走行し、前記作業走行中に作業装置により作業を行う作業機の旋回制御システムであって、
機体の走行距離を検出する走行距離検出部と、
機体の向きである機体方位を検出する方位検出部と、
前記旋回走行の開始および終了のタイミングと前記作業装置の動作終了および動作開始のタイミングとに対応する前記走行距離および前記機体方位を記憶する記憶部と、
前記走行距離および前記機体方位を前記記憶部に記憶させるティーチングモードと前記走行距離および前記機体方位に基づいて前記旋回走行を行うティーチングターンモードとの切り替えを行うスイッチと、
前記ティーチングターンモード中に、前記記憶部に記憶された前記走行距離および前記機体方位に基づいて前記旋回走行を制御する制御部とを備える旋回制御システム。
【請求項２】
運転者に警告を報知する報知部を備え、
前記制御部は、前記記憶部に記憶された前記走行距離および前記機体方位に基づいて、前記作業装置の動作および前記旋回走行のための操舵の少なくともいずれかを指示する前記警告を前記報知部に報知させる請求項１に記載の旋回制御システム。
【請求項３】
前記制御部は、前記記憶部に記憶された前記走行距離および前記機体方位に基づいて、前記作業装置の動作および前記旋回走行のための操舵の少なくともいずれかを自動制御する請求項１または２に記載の旋回制御システム。
【請求項４】
前記走行距離および前記機体方位を記憶した後、前記ティーチングターンモードでの前記旋回走行において、前記旋回走行の終了のタイミング，前記作業装置の動作終了のタイミングまたは前記作業装置の動作開始のタイミングの少なくともいずれかが不適切であった場合、前記ティーチングモードに切り替えられて前記走行距離および前記機体方位が再度記憶される請求項１から３のいずれか一項に記載の旋回制御システム。
【請求項５】
前記ティーチングモードが、前記作業走行の両端をなす前記圃場の向かい合う２辺における前記旋回走行それぞれにおいて実施され、
前記記憶部は、それぞれの前記旋回走行毎に対応する前記走行距離および前記機体方位を個別に記憶し、
前記制御部は、それぞれの前記旋回走行において、対応する前記走行距離および前記機体方位に基づいて前記旋回走行を制御する請求項１から４のいずれか一項に記載の旋回制御システム。
【請求項６】
前記作業機が走行装置により走行し、前記走行装置を駆動する車軸を備え、
前記走行距離検出部は、前記車軸が一回転する間に複数回検出されるパルスの数を計測することにより前記走行距離を検出し、
前記制御部は、前記走行距離に対応する前記パルスの個数に基づいて、前記旋回走行を制御する請求項１から５のいずれか一項に記載の旋回制御システム。
【請求項７】
前記作業装置は、施肥装置と苗植付装置とを有し、
前記制御部は、前記苗植付装置の昇降、前記苗植付装置の植付動作の開始と終了、および、前記施肥装置による施肥の開始と終了を制御可能である請求項１から６のいずれか一項に記載の旋回制御システム。
【請求項８】
前記作業装置は、施肥装置および左右のマーカーの少なくともいずれかと、苗植付装置とを有し、
前記制御部は、前記苗植付装置の昇降、前記苗植付装置の植付動作の開始と終了、前記施肥装置による施肥の開始と終了、および、前記左右のマーカーそれぞれの作用姿勢と格納姿勢との間での変位を制御可能である請求項１から６のいずれか一項に記載の旋回制御システム。
【請求項９】
請求項１から８のいずれか一項に記載の旋回制御システムを備える作業機。
【発明の詳細な説明】
【技術分野】
【０００１】
本発明は、旋回走行を挟んで圃場の走行経路を往復して作業を行う作業機と、作業機の旋回制御システムに関する。
【背景技術】
【０００２】
旋回走行を挟んで圃場を往復して作業を行う作業機は、圃場の畔際において、作業状態の作業装置が非作業状態にされた状態で、機体が畦際で旋回する旋回走行が行われる。畦際での旋回走行が終了すると、作業機は、作業装置が作業状態にされ、再び作業走行が行われる。また、このような旋回走行における作業装置の状態変位を、走行距離や機体の旋回状態に応じて自動的に行うものもある。
【先行技術文献】
【特許文献】
【０００３】
【特許文献１】特開２００１−８６８１６号公報
【発明の概要】
【発明が解決しようとする課題】
【０００４】
旋回走行における作業装置の状態変位を、より適切なタイミングで行う要求がある。
【課題を解決するための手段】
【０００５】
本発明の一実施形態に係る旋回制御システムは、圃場において旋回走行を挟んで往復して作業走行し、前記作業走行中に作業装置により作業を行う作業機の旋回制御システムであって、機体の走行距離を検出する走行距離検出部と、機体の向きである機体方位を検出する方位検出部と、前記旋回走行の開始および終了のタイミングと前記作業装置の動作終了および動作開始のタイミングとに対応する前記走行距離および前記機体方位を記憶する記憶部と、前記走行距離および前記機体方位を前記記憶部に記憶させるティーチングモードと前記走行距離および前記機体方位に基づいて前記旋回走行を行うティーチングターンモードとの切り替えを行うスイッチと、前記ティーチングターンモード中に、前記記憶部に記憶された前記走行距離および前記機体方位に基づいて前記旋回走行を制御する制御部とを備える。
【０００６】
先行する旋回走行時に、ティーチングモードにて、旋回走行の開始および終了のタイミングと作業装置の動作終了および動作開始のタイミングとに対応させて、それぞれのタイミングにおける走行距離および機体方位を記憶させ、以降の旋回走行において、制御部は、記憶したタイミングで旋回走行を制御する。実際の圃場での旋回走行時に旋回走行のタイミングと作業装置の動作のタイミングとを記憶するため、圃場に適した適切なタイミングをティーチングすることができる。また、ティーチングモードに移行するのみで、旋回時の走行と作業装置の動作とのタイミングに対応させて走行距離と機体方位とを自動的に記憶することができるため、簡便にティーチングを行うことができる。さらに、以降の旋回走行においては、同じ圃場内で以前にティーチングしたタイミングで旋回走行を制御することができるため、旋回の前後において一定の位置に対して作業を行うことができる。
【０００７】
また、運転者に警告を報知する報知部を備え、前記制御部は、前記記憶部に記憶された前記走行距離および前記機体方位に基づいて、前記作業装置の動作および前記旋回走行のための操舵の少なくともいずれかを指示する前記警告を前記報知部に報知させても良い。
【０００８】
このような構成により、機体の操舵の過不足や操舵のタイミング、あるいは作業装置の操作のタイミングが警告として報知されるため、運転者は、適切なタイミングで、適切な操作を行い、適切な開始位置で作業を開始することができる。
【０００９】
また、前記制御部は、前記記憶部に記憶された前記走行距離および前記機体方位に基づいて、前記作業装置の動作および前記旋回走行のための操舵の少なくともいずれかを自動制御することが好ましい。
【００１０】
このような構成により、機体の操舵の過不足や操舵のタイミング、あるいは作業装置の操作のタイミングに応じて、旋回時の走行や作業装置の動作が自動制御されるため、適切な開始位置で作業を開始することができる。
【００１１】
また、前記走行距離および前記機体方位を記憶した後、前記ティーチングターンモードでの前記旋回走行において、前記旋回走行の終了のタイミング，前記作業装置の動作終了のタイミングまたは前記作業装置の動作開始のタイミングの少なくともいずれかが不適切であった場合、前記ティーチングモードに切り替えられて前記走行距離および前記機体方位が再度記憶されることが好ましい。
【００１２】
このような構成により、圃場内でのスリップ率の変化等により、走行距離に誤差が出た場合でも、ティーチングをやり直すことにより、旋回走行時に旋回走行のタイミングと作業装置の動作のタイミングとを最適化することができ、適切な開始位置で作業を開始することができる。
【００１３】
また、前記ティーチングモードが、前記作業走行の両端をなす前記圃場の向かい合う２辺における前記旋回走行それぞれにおいて実施され、前記記憶部は、それぞれの前記旋回走行毎に対応する前記走行距離および前記機体方位を個別に記憶し、前記制御部は、それぞれの前記旋回走行において、対応する前記走行距離および前記機体方位に基づいて前記旋回走行を制御することが好ましい。
【００１４】
圃場の形状によっては、旋回を行う圃場の外周辺が、作業走行を行う経路と直交しない場合がある。また、作業走行の開始位置と終了位置（両端）に対応する、圃場における向かい合う２辺が平行でない場合がある。そのため、圃場の外形辺ごとに必要な旋回走行の条件が異なる場合がある。この場合、旋回の前後において、作業装置の動作の開始位置と終了位置とを補正する必要がある。圃場における向かい合う外周辺ごとにティーチングを行うことにより、圃場の形状によらず、適切な開始位置で作業を開始することができる。
【００１５】
また、前記作業機が走行装置により走行し、前記走行装置を駆動する車軸を備え、前記走行距離検出部は、前記車軸が一回転する間に複数回検出されるパルスの数を計測することにより前記走行距離を検出し、前記制御部は、前記走行距離に対応する前記パルスの個数に基づいて、前記旋回走行を制御しても良い。
【００１６】
このような構成により、車軸が一回転する間の走行距離より短い距離を単位として、走行距離を設定することができるので、より厳密なタイミングで旋回走行を制御でき、より適切な開始位置で作業を開始することができる。
【００１７】
また、前記作業装置は、施肥装置と苗植付装置とを有し、前記制御部は、前記苗植付装置の昇降、前記苗植付装置の植付動作の開始と終了、および、前記施肥装置による施肥の開始と終了を制御可能であっても良い。
【００１８】
このような構成により、植付作業に付随する様々な装置の動作を、走行距離および機体方位に基づいて行うことができ、作業走行を行う負担が軽減される。
【００１９】
また、前記作業装置は、施肥装置および左右のマーカーの少なくともいずれかと、苗植付装置とを有し、前記制御装置は、前記苗植付装置の昇降、前記苗植付装置の植付動作の開始と終了、前記施肥装置による施肥の開始と終了、および、前記左右のマーカーそれぞれの作用姿勢と格納姿勢との間での変位を制御可能であっても良い。
【００２０】
このような構成によっても、植付作業に付随する様々な装置の動作を、走行距離および機体方位に基づいて行うことができ、作業走行を行う負担が軽減される。
【００２１】
さらに、本発明の一実施形態に係る作業機は、前記旋回制御システムを備える。
【００２２】
これより、旋回走行を挟んで圃場を往復して作業を行う作業機は、旋回走行に伴う作業の再開を、適切な開始位置で行うことができる。
【図面の簡単な説明】
【００２３】
【図１】乗用型田植機の全体側面図である。
【図２】右及び左の前輪の操向操作系、右及び左の前輪、右及び左の後輪への伝動系を示す平面図である。
【図３】旋回制御の構成例を説明する図である。
【図４】畦際での旋回走行を例示する平面図である。
【図５】制御装置の構成例を説明する図である。
【図６】旋回制御におけるティーチングモードのフロー例を説明する図である。
【図７】旋回制御におけるティーチングターンモードのフロー例を説明する図である。
【図８】畦際での旋回走行を例示する平面図である。
【発明を実施するための形態】
【００２４】
［全体構成］
図１に示すように、作業機の例である田植機は、右及び左の前輪１（走行装置に相当）、右及び左の後輪２（走行装置に相当）で支持された機体の後部に昇降自在に支持されるリンク機構３と、リンク機構３を昇降駆動する単動型の油圧シリンダ４と、リンク機構３の後部に支持される苗植付装置５（作業装置に相当）とを備える。水田（圃場に相当）は一般に下方の硬い耕盤Ｇ１の上に泥や水の層が形成されて、泥や水の層の最上面が田面Ｇ２となっており、右及び左の前輪１、右及び左の後輪２が耕盤Ｇ１に接地する状態で田植機は走行する。
【００２５】
図１に示すように、苗植付装置５は、４個の植付伝動ケース６、植付伝動ケース６の後部の左右に回転駆動自在に支持された回転ケース７、回転ケース７の両端に備えられた一対の植付アーム８、複数の接地フロート９、苗のせ台１０等を備えて、８条植型式に構成されている。運転座席１３の後側に、肥料を貯留するホッパー１４及び２条単位の４個の繰り出し部１５が備えられて、運転座席１３の下側にブロア１６が備えられている。接地フロート９に作溝器１７が備えられて、繰り出し部１５と作溝器１７とに亘ってホース１８が接続されている。
【００２６】
図１及び図３に示すように、右及び左のマーカー１９（作業装置に相当）が苗植付装置５の右及び左側部に備えられており、田面Ｇ２に接地して植付行程の指標を形成する作用姿勢（図１参照）、及び田面Ｇ２から上方に離れた格納姿勢（図３参照）に変更可能に構成されている。右及び左のマーカー１９は上下に揺動可能に苗植付装置５に支持されたアーム部１９ａと、アーム部１９ａの先端部に自由回転可能に支持された回転体１９ｂとを備えて構成される。右及び左のマーカー１９を作用姿勢及び格納姿勢に操作する電動モータ２１が備えられて、制御装置２３により電動モータ２１が操作される。
【００２７】
［伝動系］
次に、図１〜図３を用いて、右及び左の前輪１、右及び左の後輪２への伝動系について説明する。
【００２８】
エンジン３１の動力が伝動ベルト３２を介して静油圧式無段変速装置３３及びミッションケース３４に伝達され、ミッションケース３４の内部の副変速装置（図示せず）から、前輪デフ機構（図示せず）及び前車軸ケース３５を介して、右及び左の前輪１に伝達される。副変速装置の動力が伝動軸３６、後車軸ケース３７の入力軸３８、入力軸３８に固定されたベベルギヤ３８ａ、ベベルギヤ３８ａに咬合するベベルギヤ３９ａ、ベベルギヤ３９ａが固定された伝動軸３９、右及び左のサイドクラッチ４０を介して、右及び左の後輪２に伝達される。静油圧式無段変速装置３３は中立位置Ｎから前進側Ｆｏ及び後進側Ｒｅに無段階に変速自在に構成されており、操縦ハンドル２０の左横側に備えられた変速レバー４５により静油圧式無段変速装置３３を操作する。
【００２９】
ミッションケース３４の下部の縦軸芯Ｐ２周りに、平面視台形状の操向部材４１が揺動可能に支持され、操縦ハンドル２０により操向部材４１が揺動操作されるように構成されており、操向部材４１と右及び左の前輪１とに亘ってタイロッド４２が接続されている。操縦ハンドル２０を操作することによって、右及び左の前輪１を直進位置Ａ１から、右及び左の操向限度Ａ３に亘って操向操作することができる。ミッションケース３４の右の横側面に、ブラケット４６が固定され、ブラケット４６にポテンショメータ４７が固定されて、操向部材４１とポテンショメータ４７の検出アーム（図示せず）とに亘って、連係ロッド４８が前車軸ケース３５の下側を通って接続されている。ポテンショメータ４７により操向部材４１を介して、右及び左の前輪１の操向角度（直進位置Ａ１と右及び左の操向限度Ａ３の範囲）を検出することができ、ポテンショメータ４７の検出値は制御装置２３に出力される。
【００３０】
右及び左のサイドクラッチ４０は摩擦多板式に構成されており、バネ（図示せず）により伝動状態に付勢されている。右及び左のサイドクラッチ４０をバネに抗して遮断状態に操作する右及び左の操作軸４３が、後車軸ケース３７に下向きに支持されて、操向部材４１と右及び左の操作軸４３とに亘り、前車軸ケース３５の下側を通って右及び左の操作ロッド４４が接続されている。右及び左の操作ロッド４４において右及び左の操作軸４３との接続部分に、融通としての長孔４４ａが備えられている。
【００３１】
右及び左の前輪１が直進位置Ａ１、右及び左の設定角度Ａ２の範囲で操向操作されていると、右及び左の操作ロッド４４の長孔４４ａの融通によって、右及び左のサイドクラッチ４０は伝動状態に操作される。これにより右及び左の前輪１、右及び左の後輪２（右及び左のサイドクラッチ４０の伝動状態）に動力が伝達された状態で、機体は前進（後進）する。
【００３２】
図２及び図３に示すように、右及び左のサイドクラッチ４０のクラッチケース（車軸に相当）に、外周部に小さな凹凸が多数形成されたリング部材４９が外嵌される。また、近接センサー型式の右及び左の回転数センサー５０が、リング部材４９に対向するように後車軸ケース３７の上部に固定される。右及び左の回転数センサー５０は、リング部材４９の各々の凹凸に対応するようにパルスを発信し、右及び左の回転数センサー５０のパルスによって、右及び左の後輪２の回転数を検出することができる。この場合、右及び左のサイドクラッチ４０が伝動状態に操作されていても遮断状態に操作されていても、右及び左の回転数センサー５０によって、右及び左の後輪２の回転数を検出することができる。右及び左の回転数センサー５０の検出値（パルス）は制御装置２３に出力される。
【００３３】
図１及び図２に示すように、右及び左の前輪１が右の設定角度Ａ２を越えて右の操向限度Ａ３側に操向操作されると、右の操作ロッド４４の長孔４４ａの範囲を越えて右の操作ロッド４４が引き操作されることになり、右の操作軸４３により右のサイドクラッチ４０が遮断状態に操作される。これにより、右及び左の前輪１、左の後輪２（旋回外側）（左のサイドクラッチ４０の伝動状態）に動力が伝達され、右の後輪２（旋回中心側）（右のサイドクラッチ４０の遮断状態）が自由回転する状態で、機体は右に旋回する。
【００３４】
右及び左の前輪１が左の設定角度Ａ２を越えて左の操向限度Ａ３側に操向操作されると、左の操作ロッド４４の長孔４４ａの範囲を越えて左の操作ロッド４４が引き操作されることになり、左の操作軸４３により左のサイドクラッチ４０が遮断状態に操作される。これにより、右及び左の前輪１、右の後輪２（旋回外側）（右のサイドクラッチ４０の伝動状態）に動力が伝達され、左の後輪２（旋回中心側）（左のサイドクラッチ４０の遮断状態）が自由回転する状態で、機体は左に旋回する。
【００３５】
［苗植付装置等］
次に、図１〜図３を用いて、苗植付装置５及び繰り出し部１５への伝動系について説明する。
【００３６】
ミッションケース３４において、副変速装置の直前から分岐した動力が、植付クラッチ２６及びＰＴＯ軸２５を介して苗植付装置５に伝達され、副変速装置の直前から分岐した動力が、施肥クラッチ２７（施肥装置に相当、作業装置に相当）及び駆動ロッド３０介して繰り出し部１５に伝達されており、植付クラッチ２６及び施肥クラッチ２７を伝動及び遮断状態に操作する電動モータ２８が備えられている。
【００３７】
植付クラッチ２６が伝動状態に操作されると、苗のせ台１０が左右に往復横送り駆動されるのに伴って、回転ケース７が図１の紙面反時計方向に回転駆動され、苗のせ台１０の下部から植付アーム８が交互に苗を取り出して田面Ｇ２に植え付ける。植付クラッチ２６が遮断状態に操作されると、苗のせ台１０の往復横送り駆動及び回転ケース７の回転駆動が停止する。
【００３８】
施肥クラッチ２７が伝動状態に操作されると、ホッパー１４から肥料が所定量ずつ繰り出し部１５によって繰り出され、ブロア１６の送風により肥料がホース１８を通って作溝器１７に供給され、作溝器１７を介して肥料が田面Ｇ２に供給される。施肥クラッチ２７が遮断状態に操作されると、繰り出し部１５が停止して、田面Ｇ２への肥料の供給が停止する。
【００３９】
次に、図３を用いて、苗植付装置５の昇降動作について説明する。
苗植付装置５の横軸芯Ｐ１周りに中央の接地フロート９の後部が上下に揺動自在に支持される。苗植付装置５は、苗植付装置５に対する中央の接地フロート９の高さを検出するポテンショメータ２２を備え、ポテンショメータ２２の検出値が制御装置２３に入力される。機体の進行に伴って中央の接地フロート９が田面Ｇ２に接地追従し、ポテンショメータ２２の検出値により苗植付装置５に対する中央の接地フロート９の高さを検出することによって、田面Ｇ２（中央の接地フロート９）から苗植付装置５までの高さを検出することができる。
【００４０】
油圧シリンダ４に作動油を給排操作する制御弁２４が備えられており、昇降レバー１１の手動操作あるいは制御装置２３の制御により制御弁２４が操作される。制御弁２４により油圧シリンダ４に作動油が供給されると、油圧シリンダ４が収縮作動して苗植付装置５が上昇し、制御弁２４により油圧シリンダ４から作動油が排出されると、油圧シリンダ４が伸長作動して苗植付装置５が下降する。
【００４１】
苗植付装置５に対する中央の接地フロート９の高さ（田面Ｇ２（中央の接地フロート９）から苗植付装置５までの高さ）に基づいて、苗植付装置５が田面Ｇ２から設定高さに維持されるように（ポテンショメータ２２の検出値（ポテンショメータ２２と中央の接地フロート９との上下間隔）が設定値に維持されるように）、昇降レバー１１の手動操作あるいは制御装置２３の制御により制御弁２４が操作され、油圧シリンダ４が伸縮作動して、苗植付装置５が昇降する。
【００４２】
［レバー］
次に、図１及び図３を用いて、昇降レバー１１について説明する。
運転座席１３の右横側に昇降レバー１１が備えられ、昇降レバー１１は自動位置、上昇位置、中立位置、下降位置及び植付位置に苗植付装置５を操作可能に構成されており、昇降レバー１１の操作位置が制御装置２３に入力されている。機体に対するリンク機構３の上下角度を検出するポテンショメータ２９が備えられており、ポテンショメータ２９の検出値が制御装置２３に入力される。
【００４３】
昇降レバー１１を上昇位置、中立位置、下降位置及び植付位置に操作した場合（昇降レバー１１を自動位置に操作していない場合）、後述の操作レバー１２の第１上昇位置Ｕ１及び第２上昇位置Ｕ２の機能、第１下降位置Ｄ１及び第２下降位置Ｄ２の機能は作動せず、操作レバー１２の右マーカー位置Ｒ及び左マーカー位置Ｌの機能だけが作動する。
【００４４】
昇降レバー１１が上昇位置に操作されると、自動昇降制御が停止し、電動モータ２８により植付クラッチ２６及び施肥クラッチ２７が遮断状態に操作される。さらに、昇降レバー１１を上昇位置に操作すると、電動モータ２１により右及び左のマーカー１９が格納姿勢に操作される。加えて、昇降レバー１１を上昇位置に操作すると、制御装置２３により制御弁２４が供給位置に操作され、油圧シリンダ４が収縮作動して苗植付装置５が上昇する。昇降レバー１１を上昇位置に操作した状態で、苗植付装置５が上限位置に達したことがポテンショメータ２９により検出されると、制御装置２３により制御弁２４が中立位置に操作されて、油圧シリンダ４が自動的に停止する。
【００４５】
昇降レバー１１が下降位置に操作されると、自動昇降制御が停止し、電動モータ２８により植付クラッチ２６及び施肥クラッチ２７が遮断状態に操作される。さらに、昇降レバー１１が下降位置に操作されると、電動モータ２１により右及び左のマーカー１９が格納姿勢に操作された状態で、制御装置２３により制御弁２４が排出位置に操作され、油圧シリンダ４が伸長作動して苗植付装置５が下降する。苗植付装置５が下降して、中央の接地フロート９が田面Ｇ２に接地すると自動昇降制御が作動して、苗植付装置５が田面Ｇ２に接地して停止した状態となる。
【００４６】
昇降レバー１１が中立位置に操作されると、自動昇降制御が停止し、電動モータ２８により植付クラッチ２６及び施肥クラッチ２７が遮断状態に操作される。さらに、昇降レバー１１が中立位置に操作されると、電動モータ２１により右及び左のマーカー１９が格納姿勢に操作された状態で、制御装置２３により制御弁２４が中立位置に操作されて、油圧シリンダ４が停止する。このように、昇降レバー１１が上昇位置、中立位置及び下降位置に操作されることにより、苗植付装置５を任意の高さに上昇及び下降させて停止させることができる。
【００４７】
昇降レバー１１が植付位置に操作されると、電動モータ２１により右及び左のマーカー１９が格納姿勢に操作された状態で、自動昇降制御が作動し、電動モータ２８により植付クラッチ２６及び施肥クラッチ２７が伝動状態に操作される。これによって、苗のせ台１０が左右に往復横送り駆動されるのに伴って回転ケース７が回転駆動され、苗のせ台１０の下部から植付アーム８が交互に苗を取り出して、苗が田面Ｇ２に植え付けられる。この時、ホッパー１４から肥料が所定量ずつ繰り出し部１５によって繰り出され、ブロア１６の送風により肥料がホース１８を通って作溝器１７に供給され、作溝器１７を介して田面Ｇ２に供給される。
【００４８】
次に、図１及び図３を用いて、操作レバー１２について説明する。
操縦ハンドル２０の下側の右横側に操作レバー１２が備えられ、操作レバー１２が右の横外方に延出されている。操作レバー１２は中立位置Ｎから上方の第１上昇位置Ｕ１、第２上昇位置Ｕ２，下方の第１下降位置Ｄ１、第２下降位置Ｄ２、後方の右マーカー位置Ｒ及び前方の左マーカー位置Ｌの十字方向に操作可能に構成されて、中立位置Ｎに付勢されており、操作レバー１２の操作位置が制御装置２３に入力されている。
【００４９】
昇降レバー１１を自動位置に操作した状態で、以下のように操作レバー１２の機能が作動する。
【００５０】
操作レバー１２を第２上昇位置Ｕ２に操作すると（第２上昇位置Ｕ２に操作して中立位置Ｎに操作すると）、電動モータ２８により植付クラッチ２６及び施肥クラッチ２７が遮断状態に操作されて、自動昇降制御が停止する。この時、電動モータ２１により右及び左のマーカー１９が格納姿勢に操作される。さらに、制御装置２３により制御弁２４が供給位置に操作され、油圧シリンダ４が収縮作動して苗植付装置５が上昇する。苗植付装置５が上限位置に達したことがポテンショメータ２９により検出されると、制御装置２３により制御弁２４が中立位置に操作されて、油圧シリンダ４が自動的に停止する。
【００５１】
操作レバー１２が第２下降位置Ｄ２に操作されると（第２下降位置Ｄ２に操作して中立位置Ｎに操作すると）、制御装置２３により制御弁２４が排出位置に操作され、油圧シリンダ４が伸長作動して苗植付装置５が下降する。苗植付装置５が下降して、中央の接地フロート９が田面Ｇ２に接地すると、自動昇降制御が作動して、苗植付装置５が田面Ｇ２に接地して停止した状態となる。操作レバー１２が第２下降位置Ｄ２に操作された後（第２下降位置Ｄ２に操作して中立位置Ｎに操作された後）、操作レバー１２が再び第２下降位置Ｄ２に操作されると、自動昇降制御が作動した状態で、電動モータ２８により植付クラッチ２６及び施肥クラッチ２７が伝動状態に操作される。
【００５２】
例えば自動昇降制御が停止し、電動モータ２８により植付クラッチ２６及び施肥クラッチ２７が遮断状態に操作され、電動モータ２１により右及び左のマーカー１９が格納姿勢に操作された状態において、操作レバー１２が第１上昇位置Ｕ１に操作されると、制御装置２３により制御弁２４が供給位置に操作され、油圧シリンダ４が収縮作動して、苗植付装置５が上昇する。操作レバー１２を中立位置Ｎに操作すると、制御装置２３により制御弁２４が中立位置に操作されて、苗植付装置５の上昇が停止する。
【００５３】
例えば自動昇降制御が停止し、電動モータ２８により植付クラッチ２６及び施肥クラッチ２７が遮断状態に操作され、電動モータ２１により右及び左のマーカー１９が格納姿勢に操作された状態において、操作レバー１２が第１下降位置Ｄ１に操作されると、制御装置２３により制御弁２４が排出位置に操作され、油圧シリンダ４が伸長作動して、苗植付装置５が下降する。操作レバー１２が中立位置Ｎに操作されると、制御装置２３により制御弁２４が中立位置に操作されて、苗植付装置５の下降が停止する。
【００５４】
このように操作レバー１２が第１上昇位置Ｕ１及び第１下降位置Ｄ１に操作されている間だけ、苗植付装置５を上昇及び下降させることができ、苗植付装置５を任意の高さに上昇及び下降させて停止させることができる。
【００５５】
操作レバー１２が右マーカー位置Ｒに操作されると（右マーカー位置Ｒに操作して中立位置Ｎに操作されると）、電動モータ２１により右のマーカー１９が作用姿勢に操作される。操作レバー１２が左マーカー位置Ｌに操作されると（左マーカー位置Ｌに操作して中立位置Ｎに操作されると）、電動モータ２１により左のマーカー１９が作用姿勢に操作される。
【００５６】
［旋回走行］
次に、図３及び図４を用いて旋回走行における作業装置の動作タイミングについて説明する。
【００５７】
田植機は、複数の走行経路を順に走行する際、畦際において２つの走行経路を結ぶ旋回走行を行う。１つの走行経路での植付行程Ｌ０１において植付走行（作業走行）が行われる。植付走行においては、左右のマーカー１９のいずれか一方（ここでは右のマーカー１９とする）が作用姿勢であり、苗植付装置５は下降状態であり、植付クラッチ２６及び施肥クラッチ２７は伝動状態である。
【００５８】
植付走行において、機体の前端が畦Ｂに到達すると（機体の後端が位置Ｅ１に到達）、変速レバー４５が中立位置Ｎに操作されて、機体が停止する。機体が停止すると、作業装置が使用されない状態に変位される（動作終了する）。具体的には、電動モータ２８の駆動により植付クラッチ２６及び施肥クラッチ２７は遮断され、苗植付装置５は上昇される。その際、右のマーカー１９も格納姿勢に変位される。
【００５９】
作業状態の動作が終了されると、機体が所定の距離だけ後進される（後進行程Ｌ１）。機体が後進された後、電動モータ２１を駆動させて左のマーカー１９が作用姿勢に変位される（作業装置の動作開始の一つ）。その後、機体の前端が位置Ｅ２まで前進される（前進行程Ｌ２）。機体の前端が位置Ｅ２に到達すると、操縦ハンドル２０が右に操作されて右旋回する旋回走行が開始される。この旋回走行は機体の前端が位置Ｅ３に到達するまで行われ（旋回工程Ｌ３）、その後、機体の前端が位置Ｅ４に到達するまで直進走行が行われる（直進行程Ｌ４）。なお、直進行程Ｌ４は、旋回走行の態様や、旋回走行を挟んだ走行経路の位置関係によってその長さが決まり、直進行程Ｌ４がない旋回が行われても良い。機体が位置Ｅ４に到達すると、再び右旋回する旋回走行が行われる（旋回工程Ｌ５）。
【００６０】
機体の前端が位置Ｅ５に到達するまで旋回走行が行われると、苗植付装置５が下降される（作業装置の動作開始の一つ）。この際、植付クラッチ２６及び施肥クラッチ２７の遮断状態は維持される。そして、直進走行が行われる（直進行程Ｌ６）。
【００６１】
直進走行により、機体の後端が位置Ｅ６に到達すると、植付クラッチ２６及び施肥クラッチ２７が伝動状態に移行される（作業装置の動作開始の一つ）。Ｅ６は、畦ＢからＥ６までの距離が、畦ＢからＥ１までの距離と同じになる位置である。この状態で走行経路を機体が走行することにより、植付行程Ｌ０２が行われる。植付行程Ｌ０２の終端においても旋回走行が行われるが、この旋回走行は左旋回となり、マーカー１９の動作は左右逆となる。このように植付走行（作業走行）と旋回走行が繰り返されて圃場の植付作業が進められる。旋回走行において、下記に説明する旋回制御が行われる。
【００６２】
［旋回制御構成］
次に、図３及び図５を用いて、畦際で行われる旋回走行の制御に関する構造について説明する。
【００６３】
図３及び図５に示すように、旋回制御を行う制御装置２３は、走行距離検出部５１、方位検出部５２、記憶部５３、制御部５４及び旋回角度検出部５５を備える。制御装置２３は、畦際で旋回を行う旋回走行を制御する。具体的には、制御装置２３は、圃場の走行経路を往復走行する際に、走行経路間で行われる旋回走行において、作業装置の動作のタイミング、あるいは作業装置の動作タイミング及び機体の旋回動作のタイミングをティーチングモードで記憶し、ティーチングターンモードに設定された際に、記憶したタイミングで以降の旋回走行を行うように制御する。以下の説明は、作業装置の動作タイミング及び機体の旋回動作のタイミングを記憶し、このタイミングでティーチングターンモードに設定された際に、記憶したタイミングで作業装置の動作及び機体の旋回動作（旋回時の走行）を自動で行う例が示される。
【００６４】
なお、ティーチングモードへの設定及びティーチングターンモードへの設定は、切替スイッチ５６（スイッチに相当）を用いて行われる。切替スイッチ５６は、運転座席１３（図１参照）の周辺の任意の位置に設けられる。切替スイッチ５６は、例えば、作業装置の動作タイミングを微調整する調整ボリューム（図示せず）を流用できる。この場合、ティーチングモードへの設定は、調整ボリューム（図示せず）を右にいっぱいまで回した状態で調整ボリューム（図示せず）を押下することにより行われる。また、ティーチングターンモードへの設定は、調整ボリューム（図示せず）を左にいっぱいまで回した状態で調整ボリューム（図示せず）を押下することにより行われる。
【００６５】
走行距離検出部５１は、右及び左の回転数センサー５０からパルスを受け取り、パルスの個数を積算することにより、後輪２が回転した回転数を積算して走行距離を算出する。走行距離検出部５１は、ティーチングモードに移行されことにより、走行距離の算出を開始する。算出された走行距離は制御部５４に出力される。
【００６６】
方位検出部５２は、機体の向き（機体方位）を算出する。機体には、ジャイロセンサや地磁気センサー等の方位センサー５７が設けられる。方位検出部５２は、方位センサー５７の検出結果を取得し、機体方位を算出する。算出された機体方位は、制御部５４に出力される。
【００６７】
記憶部５３は、ティーチングモードにおいて取得された、作業装置の動作タイミングや機体の旋回動作のタイミングに対応する走行距離と機体方位とを記憶する。
【００６８】
制御部５４は、ティーチングモードでの旋回走行において、作業装置の動作タイミング及び機体の旋回動作（走行と操舵等）のタイミングに対応する走行距離と機体方位を取得して記憶部５３に記憶させ、ティーチングターンモードにおいて、このタイミングに基づいて作業装置の動作及び機体の旋回時の走行を制御する。
【００６９】
旋回角度検出部５５は、ティーチングターンモードにおいて、機体の旋回を自動制御する場合に用いられる。制御部５４は、旋回角度検出部５５の検出値を確認することにより、機体の操向角度が適切か否かを判断する。旋回角度検出部５５は、ポテンショメータ４７の検出値を受け取り、前輪１（図１参照）の操向角度を算出して制御部５４に操向角度を出力する。制御部５４は、旋回角度検出部５５の検出値を確認することにより、機体の操向角度が適切か否かを判断する。なお、ティーチングターンモードにおいて、旋回走行における機体の操向を制御しない場合は、旋回走行制御において旋回角度検出部５５は不要である。
【００７０】
［旋回制御工程］
次に、図３〜図７を用いて、畦際で行われる旋回走行の制御フローについて説明する。以下では、ティーチングモードを右旋回時に行い、ティーチングターンモードの最初の旋回を左旋回で行う場合が例示される。以下の説明において、ティーチングモードを左旋回時に行う場合は、旋回方向およびマーカー１９の左右が逆になる。ティーチングターンモードを右旋回時に行う場合は、旋回方向およびマーカー１９の左右が逆になる。また、ティーチングターンモードにおいては、走行経路の作業走行を挟んで、左右の旋回が交互に行われる。
【００７１】
まず、１つの走行経路に対して作業走行が行われる。この際、運転者は、左右のマーカー１９のいずれか一方（ここでは右のマーカー１９とする）を作用姿勢に操作し、苗植付装置５を下降状態に操作し、植付クラッチ２６及び施肥クラッチ２７を伝動状態に操作する（図６のステップ＃１）。
【００７２】
作業走行において、機体の前端が畦Ｂに到達すると（図６のステップ＃２）、運転者は機体を停止させる。この時、運転者は、切替スイッチ５６を操作して、制御部５４にティーチングモードでの制御を開始させる（図６のステップ＃３）。
【００７３】
次に、運転者は、作業装置を動作終了させる。具体的には、運転者は、植付クラッチ２６及び施肥クラッチ２７を遮断する操作を行い、昇降レバー１１を操作して苗植付装置５を上昇させ、右のマーカー１９を格納姿勢に変位させる操作を行う（図６のステップ＃４）。
【００７４】
この際、制御部５４は、停止した際の機体の向きである機体方位を取得し、走行距離として「０」と共に、機体の前端が畦Ｂに到達した位置であることとひも付けて記憶部５３に格納する（図６のステップ＃５）。機体方位は、方位検出部５２により算出される。方位検出部５２は、ポテンショメータ４７の検出値を取得し、機体の向きである機体方位を算出する。
【００７５】
次に、運転者は、後進行程Ｌ１として、所定の距離だけ機体を後進させる（図６のステップ＃６）。機体が後進された後、運転者は、左のマーカー１９を作用姿勢に変位させる操作を行う（作業装置の動作開始の一つ）。この際、制御部５４は、後進行程Ｌ１を開始してから停止するまでの機体の走行距離と、停止した際の機体の向きである機体方位を取得し、後進行程Ｌ１の停止位置であり、かつマーカー１９を作用姿勢に変位させる位置であることとひも付けて、走行距離及び機体方位を記憶部５３に格納する（図６のステップ＃７）。
【００７６】
走行距離は、ティーチングモードに移行されたことを契機として、制御部５４からの指示により走行距離検出部５１が算出する。走行距離検出部５１は、回転数センサー５０から検出したパルスの数を取得し、パルスの数から走行距離を算出する。前述のように、パルスの数から後輪２の回転数が算出され、後輪２の回転数から走行距離が算出される。また、パルスの数は左右の回転数センサー５０の検出値の平均値としても良い。これにより、多少のスリップの影響が軽減されて、より正確な走行距離を算出することができる。なお、以降、ティーチングモードにおいて、走行距離は前進あるいは後進の方向が考慮された状態で積算される。例えば、後進行程Ｌ１は後進走行であるので、走行距離の符号はマイナスとなり、後進走行においては走行距離が減少する。そのため、走行距離は、位置Ｅ１からの絶対的な走行距離となる。
【００７７】
次に、運転者は、前進行程Ｌ２として、所定の距離だけ（位置Ｅ２まで）機体を前進させる（図６のステップ＃８）。この際、制御部５４は、後進行程Ｌ１を開始してから停止するまでの機体の走行距離と、停止した際の機体の向きである機体方位を取得し、前進行程Ｌ２の停止位置であることとひも付けて、走行距離及び機体方位を記憶部５３に格納する（図６のステップ＃９）。
【００７８】
次に、運転者は、旋回走行の操作を行う。旋回走行は、例えば、旋回走行（旋回工程Ｌ３）、直進走行（直進行程Ｌ４）、旋回走行（旋回工程Ｌ５）からなる。旋回工程Ｌ３，Ｌ５は、常に全開旋回として良い（図６のステップ＃１０）。旋回工程Ｌ５が終了すると、運転者は、作業装置の動作開始の一つとして、昇降レバー１１を操作して、苗植付装置５を下降させる（図６のステップ＃１１）。
【００７９】
この際、制御部５４は、それぞれの行程の最終位置における、後進行程Ｌ１を開始してからの機体の走行距離と、機体の向きである機体方位を取得し、それぞれの行程の最終位置であることとひも付けて、走行距離及び機体方位を記憶部５３に格納する。特に、制御部５４は、旋回工程Ｌ５の最終位置については、旋回工程Ｌ５の最終位置であることと、苗植付装置５の下降位置であることとにひも付けて、走行距離及び機体方位を記憶部５３に格納する（図６のステップ＃１２）。
【００８０】
次に、運転者は、直進行程Ｌ６として、機体の後端が、機体の前端が畦Ｂに到達した際の機体の後端の位置に対応する位置に到達（機体の後端が位置Ｅ６に到達）するまで、機体を前進させる。この際、直進行程Ｌ６における走行距離は、前進行程Ｌ２におけるＥ１からＥ２までの距離と同じ距離とすることができ、操向方向を確認して旋回走行が終了したことを判別し、旋回走行が終了してからこの距離だけ自動的に走行するようにしても良い（図６のステップ＃１３）。直進行程Ｌ６が終了すると、運転者は、作業装置の動作開始の一つとして、植付クラッチ２６及び施肥クラッチ２７を伝動状態にする操作を行う。この時も、Ｅ１からＥ２までの距離と同じ距離走行した時点で自動的に植付クラッチ２６及び施肥クラッチ２７が伝動状態にされる操作がなされても良い（図６のステップ＃１４）。
【００８１】
この際、制御部５４は、後進行程Ｌ１を開始してから直進行程Ｌ６が終了するまでの機体の走行距離と、終了した際の機体の向きである機体方位を取得し、植付クラッチ２６及び施肥クラッチ２７を伝動状態にする位置であることとひも付けて、走行距離及び機体方位を記憶部５３に格納する（図６のステップ＃１５）。そして、運転者は、切替スイッチ５６を操作して、ティーチングモードを終了させる（図６のステップ＃１６）。これにより、旋回走行は終了であり、植付行程Ｌ０２として、新たな走行経路における作業走行が行われる。以降の走行経路の畔際にて、ティーチングターンモードを用いて旋回走行が行われる。
【００８２】
ティーチングターンモードを用いた旋回走行では、機体の前端が畦Ｂに到達すると（図７のステップ＃１７）、運転者は機体を停止させる。この時、運転者は、切替スイッチ５６を操作して、制御部５４にティーチングターンモードでの制御を開始させる（図７のステップ＃１８）。これに伴い、制御部５４は、記憶部５３に格納された情報を確認して、走行距離及び機体方位が、機体の前端が畦Ｂに到達して停止した位置であることとひも付けて記憶されたものと一致することを確認する。そして、制御部５４は、作業装置の動作終了として、電動モータ２８を操作して植付クラッチ２６及び施肥クラッチ２７を遮断し、制御弁２４を操作して苗植付装置５を上昇させ、電動モータ２１を操作して右のマーカー１９を格納姿勢に変位させる（図７のステップ＃１９）。
【００８３】
次に、制御部５４は、後進行程Ｌ１として、所定の距離だけ機体を後退させる（図７のステップ＃２０）。制御部５４は、走行距離及び機体方位が、後進行程Ｌ１の停止位置であり、かつマーカー１９を作用姿勢に変位させる位置であることとひも付けて記憶された値になるまで機体を後退させると、電動モータ２１を操作して左のマーカー１９を作用姿勢に変位させる（作業装置の動作開始の一つ）（図７のステップ＃２１）。
【００８４】
次に、制御部５４は、前進行程Ｌ２として、所定の距離だけ（位置Ｅ２まで）機体を前進させる（図７のステップ＃２２）。走行距離及び機体方位が記憶部５３に記憶された値になると、制御部５４は、自動走行で旋回走行を開始する。走行距離及び機体方位が対応する値になることに応じて、左旋回の旋回工程Ｌ３、直進行程Ｌ４、及び左旋回の旋回工程Ｌ５を行わせる（図７のステップ＃２３）。制御部５４は、旋回工程Ｌ３、直進行程Ｌ４、及び旋回工程Ｌ５を、記憶部５３に記憶された値に応じて、静油圧式無段変速装置３３（図２参照）、ミッションケース３４（図２参照）、操向部材４１（図２参照）等を制御して行う。旋回走行の際、操向角度は、操縦ハンドル２０を全開で操作した際と同等の、最大角度の操向角度としても良い。
【００８５】
旋回走行が終了して、走行距離及び機体方位が、旋回工程Ｌ５の最終位置であることと、苗植付装置５の下降位置であることとにひも付けて記憶部５３に記憶された値になると、制御部５４は、作業装置の動作開始の一つとして、制御弁２４を操作して、苗植付装置５を下降させる（図７のステップ＃２４）。
【００８６】
次に、制御部５４は、直進行程Ｌ６として、機体の後端が、機体の前端が畦Ｂに到達した際の機体の後端の位置と対応する位置に到達（機体の後端が位置Ｅ６に到達）するまで、機体を前進させる。機体の後端が位置Ｅ６に到達する位置は、植付クラッチ２６及び施肥クラッチ２７を伝動状態にする位置であることとひも付けて記憶部５３に記憶された走行距離及び機体方位から判断される（図７のステップ＃２５）。この際、制御部５４は、作業装置の動作開始の一つとして、電動モータ２８を制御して、植付クラッチ２６及び施肥クラッチ２７を伝動状態に操作する（図７のステップ＃２６）。そして、運転者は、切替スイッチ５６を操作して、ティーチングターンモードを終了させる（図７のステップ＃２７）。これにより、旋回走行は終了であり、植付行程Ｌ０２として、新たな走行経路における作業走行が行われる（図７のステップ＃２８）。以降、全ての走行経路の作業走行が終了するまで、同様の走行が行われる。
【００８７】
以上のように、先行する旋回走行時に、ティーチングモードにて、旋回時の走行の各動作の開始および終了のタイミングと作業装置の動作終了および動作開始のタイミングとに対応させて、それぞれのタイミングにおける走行距離および機体方位が記憶される。そして、以降の旋回走行において、制御部５４は、記憶したタイミングで旋回走行を制御する。実際の圃場での旋回走行時に旋回走行のタイミングと作業装置の動作のタイミングとを記憶するため、制御装置２３は、圃場に適した適切なタイミングをティーチングすることができる。また、ティーチングモードに移行するのみで、旋回走行と作業装置の動作とのタイミングに対応させて走行距離と機体方位とを自動的に記憶することができるため、簡便にティーチングを行うことができる。さらに、以降の旋回走行においては、同じ圃場内で以前にティーチングしたタイミングで旋回走行を制御することができるため、旋回の前後において一定の位置から作業を開始することができる。
【００８８】
また、制御部５４は、走行距離を自動的に取得し、この走行距離に基づいて、自動的に作業装置等の動作を制御するため、回転数センサー５０の性能を最大限に利用して、より精度の高い旋回制御を行うことができる。
【００８９】
［別実施形態］
（１）上記旋回走行では、畦Ｂまで植付行程が行われ、後進行程Ｌ１を経て旋回工程（旋回工程Ｌ３等）が行われたが、植付行程は、畦Ｂから所定の距離手前で終了され、後進を経ずに旋回工程が行われても良い。
【００９０】
例えば、まず、植付行程において、機体が畦Ｂから所定の距離手前に到達すると、機体が停止される。機体が停止した際、機体の後端は位置Ｅ１に到達しているとする。この時、電動モータ２８の駆動により植付クラッチ２６及び施肥クラッチ２７は遮断され、苗植付装置５は上昇され、右のマーカー１９も格納姿勢に変位される（作業装置の動作終了）。また、この位置での、走行距離としての「０」と機体方位と共に、作業装置の動作を終了させる位置であることがひも付けられて記録される。
【００９１】
次に、電動モータ２１が駆動されて左のマーカー１９が作用姿勢に変位される（作業装置の動作開始の一つ）。その後、機体が次の走行経路上に至り、機体の向きがこの走行経路と平行となるまで旋回工程Ｌ３が行われる。この時、機体の前端の位置を位置Ｅ５とする。旋回工程Ｌ３が終了すると、苗植付装置５が下降される（作業装置の動作開始の一つ）。この際、植付クラッチ２６及び施肥クラッチ２７の遮断状態は維持される。また、この位置での、走行距離と機体方位と共に、旋回工程Ｌ３が終了する位置であることがひも付けられて記録される。
【００９２】
次に、機体の後端が位置Ｅ６に到達するまで直進走行が行われる（直進行程Ｌ６）。Ｅ６は、畦ＢからＥ６までの距離が、畦ＢからＥ１までの距離と同じになる位置である。直進走行により、機体の後端が位置Ｅ６に到達すると、植付クラッチ２６及び施肥クラッチ２７が伝動状態に移行される（作業装置の動作開始の一つ）。この位置での、走行距離と機体方位と共に、直進行程Ｌ６が終了する位置であることがひも付けられて記録される。その後、植付行程が行われる。
【００９３】
そして、この植付行程の終端においても旋回走行が行われるが、この旋回走行は左旋回となり、マーカー１９の動作は左右逆となる。これ以降の旋回走行は、記録された走行距離と機体方位とに基づく旋回制御によって自動的に行われる。このように植付走行（作業走行）と旋回走行が繰り返されて圃場の植付作業が進められる。最後に、旋回走行が行われた圃場の周囲領域は、周回走行することによって作業走行が行われる。
【００９４】
（２）制御装置２３は、ＣＰＵやＥＣＵ等のプロセッサを含んだハードウェアで構成され、１つの機能部で構成されても良いが、適宜複数の機能部に分散されて構成されても良い。また、走行距離検出部５１、方位検出部５２、制御部５４及び旋回角度検出部５５の少なくとも一部はソフトウェアで構成されても良い。この際、ソフトウェア（プログラム）は、記憶部５３に格納され、任意のＣＰＵやＥＣＵ等のプロセッサで実行される。
【００９５】
（３）圃場は様々な形状である場合があり、旋回を行う畦Ｂを成す、向かい合う２つの圃場の外周辺が平行でない場合がある。この場合、一方の外周辺でティーチングされた旋回走行を他方の外周辺で行うと、他方の外周辺で適切な旋回走行を行えない場合がある。この場合、両方の外周辺それぞれで旋回走行がティーチングされ、それぞれの外周辺では、それぞれの外周辺においてティーチングされた旋回走行が行われても良い。これにより、各外周辺において、適切に旋回走行を行うことができる。
【００９６】
（４）圃場の状態は、圃場状態で一定ではなく、一度ティーチングモードでティーチングを行い、ティーチングターンモードで旋回走行を繰り返すうちに、スリップ率の差異等で走行距離がずれ、作業装置の操作タイミング等が不適切になる場合がある。このような場合、再度ティーチングモードで旋回走行の再ティーチングが行われても良い。この場合、記憶部５３に記憶された各動作状態に対応する走行距離及び機体方位は書き換えられる。これにより、圃場の状態が変化した場合であっても、適切に旋回走行を行うことができる。
【００９７】
（５）ティーチングターンモードにおいて、旋回制御（操向操作）も自動的に行われても良いが、作業装置の動作制御のみが自動制御され、旋回時の走行の操作は手動で行われても良い。この場合、旋回のタイミングに基づいて、制御部５４は、旋回の開始時期や終了時期、操向操作量の過不足を、報知部５８に警告として報知させても良い。また、制御部５４は、作業装置の動作を自動制御せず、動作のタイミングを指示する警告を報知部５８に報知させても良い。
【００９８】
（６）作業装置として、施肥装置（施肥クラッチ２７）及び左右のマーカー１９と苗植付装置５の動作を制御する構成が説明されたが、マーカー１９を備えない作業機に対して旋回制御が行われることも可能であり、この場合、施肥装置（施肥クラッチ２７）と苗植付装置５の動作が制御されても良い。
【００９９】
（７）方位センサー５７を設ける構成が例示されたが、方位センサー５７を設けず、方位検出部５２は、ポテンショメータ４７を方位検出部として用い、ポテンショメータ４７の検出値から機体方位を検出しても良い。
【０１００】
（８）記憶部５３に記憶された走行距離及び機体方位によって、制御部５４は旋回走行における各動作の位置を取得するが、事前に取得されたマップデータ等によって、圃場のスリップ率等があらかじめ分かる場合、制御部５４は、このマップデータに基づいて、スリップ率等が異なる領域における走行距離及び機体方位を補正しても良い。
【０１０１】
（９）旋回制御が行われる作業は苗の植え付けに限らず、様々な作業が対象とされる。また、作業機は、圃場に限らず、様々な作業地の作業を行うことができる。この場合、作業機は、作業地の所定の範囲を、旋回走行挟んで往復走行することにより作業を行う。
【産業上の利用可能性】
【０１０２】
本発明は、田植機をはじめ、直播機、トラクタ、コンバイン、管理機（散布機）、草刈り機、建設機械等旋回作業が必要な様々な作業機に適用することができる。
【符号の説明】
【０１０３】
１    前輪（走行装置）
２    後輪（走行装置）
５    苗植付装置（作業装置）
１９    マーカー（作業装置）
２７    施肥クラッチ（施肥装置  作業装置）
５１    走行距離検出部
５２    方位検出部
５３    記憶部
５４    制御部
５６    切替スイッチ（スイッチ）
５８    報知部
【図１】
2020178631.tif 000003
【図２】
2020178631.tif 000004
【図３】
2020178631.tif 000005
【図４】
2020178631.tif 000006
【図５】
2020178631.tif 000007
【図６】
2020178631.tif 000008
【図７】
2020178631.tif 000009
【図８】
2020178631.tif 000010